(57)【特許請求の範囲】
【請求項１】
画像データを記録媒体に記録する記録手段と、
前記記録手段を制御して前記画像データが記録された記録媒体に対して所定のデータを記録するファイナライズ処理を実行すると共に、前記ファイナライズ処理の実行中に前記記録媒体に記録された画像データに係る画像を表示装置に表示する制御手段とを備える記録装置。
【請求項２】
前記制御手段は、前記記録媒体に記録されている複数の画像データの先頭の画面を前記ファイナライズ処理中に順次表示することを特徴とする請求項１記載の記録装置。
【請求項３】
前記制御手段は、前記複数の画像データの先頭画面を、各先頭画面に対応する映像データの記録時間に比例したタイミングで順次表示することを特徴とする請求項２記載の記録装置。
【請求項４】
前記制御手段は、前記ファイナライズ処理の完了と共に、前記複数の画面の全ての表示を完了することを特徴とする請求項２記載の記録装置。
【請求項５】
前記制御手段は、前記記録媒体に記録されている画像データから所定の時間間隔で１画面づつ抽出した複数の画面を順次表示することを特徴とする請求項１記載の記録装置。
【請求項６】
前記制御手段は、前記複数の画面を前記記録媒体に対する前記画像データの記録順に従う順序で表示することを特徴とする請求項２または５記載の記録装置。
【請求項７】
前記制御手段は、前記ファイナライズ処理の進行程度に伴って前記表示画面を更新することを特徴とする請求項６記載の記録装置。
【請求項８】
前記記録媒体に記録されている画像データを再生する再生手段を備え、前記制御手段は、前記再生手段により再生された画像データを用いて前記ファイナライズ処理中に表示するための画像データを生成することを特徴とする請求項１記載の記録装置。
【請求項９】
前記制御手段は、前記記録媒体に記録された画像データ中の複数の画面を順次更新しながら表示すると共に、前記複数の画面の一覧画面を示す画像データを生成して前記ファイナライズ処理中に前記記録媒体に記録するよう前記記録手段を制御することを特徴とする請求項１記載の記録装置。
【発明の詳細な説明】
【技術分野】
【０００１】
本発明は記録装置に関し、特には、画像データを記録した記録媒体に対するファイナライズ処理に関するものである。
【背景技術】
【０００２】
従来、画像データをＤＶＤなどの光ディスクに記録する記録装置が知られている。
【０００３】
また、ＤＶＤには各種の物理フォーマットやアプリケーションフォーマットが存在する。この中で、ＤＶＤ−ＲやＤＶＤ−ＲＷなどのディスクは一般のＤＶＤビデオとの互換性が高く、ファイナライズ処理を実行することで、ＤＶＤプレーヤで容易に再生することができる（例えば、特許文献１参照）。
【特許文献１】特開２００３−８７７７０号
【発明の開示】
【発明が解決しようとする課題】
【０００４】
前述の様に、画像を記録したＤＶＤを一般のＤＶＤプレーヤにて再生するためには、ファイナライズと呼ばれる処理が必要である。
【０００５】
ファイナライズ処理とは、画像データが記録されたＤＶＤに対し、所定の管理情報情報を書き込む処理や、ディスク上の未記録領域に無効データを書き込む処理、ＤＶＤプレーヤ用の操作メニュー画像を生成するなどの処理を含む。
【０００６】
これらの処理にはは、数分から数十分の時間がかかってしまう。
【０００７】
そのため、ユーザは、ファイナライズ処理が終了するまで、長い場合には数十分も待たされることになり、苦痛となることが多いという問題があった。
【０００８】
こうした背景において、本発明の目的は、記録媒体のファイナライズ処理中におけるユーザの苦痛を和らげ、有意義で楽しめるものとすることである。
【課題を解決するための手段】
【０００９】
本発明によれば、画像データを記録媒体に記録する記録手段と、前記記録手段を制御して前記画像データが記録された記録媒体に対して所定のデータを記録するファイナライズ処理を実行すると共に、前記ファイナライズ処理の実行中に前記記録媒体に記録された画像データに係る画像を表示装置に表示する制御手段とを備える。
【発明の効果】
【００１０】
本発明によれば、ファイナライズ中に記録されている映像順次見ながら有意義に待ち時間を経過することができる。
【発明を実施するための最良の形態】
【００１１】
（実施例１）
以下、本発明の実施形態について図面を参照して説明する。
【００１２】
図１は本発明の実施形態における記録装置の構成を示す図である。
【００１３】
図１において、１０１は被写体を撮影して画像データを出力する撮像部、１０２は撮影された画像データをＭＰＥＧ方式に従い符号化すると共に、再生された画像データを復号する符号化復号化部である。１０３はメモリ、１０４は撮像部からの画像や再生画像の他、メニュー画面やファイナライズ時の画面など、各種の画像を表示する表示部である。１０５は各種のスイッチを備える操作部、１０６は制御部、１０７はディスクＤに対してデータの書き込み、読み出しを行う記録再生部、１０８はデータバスである。ＤはＤＶＤ−Ｒなどの光ディスク媒体である。
【００１４】
図１の装置は、ユーザが操作部１０５を操作し、それに従って制御部１０６が各ブロックを制御することで動作する。
【００１５】
即ち、撮影操作によって撮影が開始されると、撮像部１０１は被写体を撮影して画像データに変換し、符号化復号化部１０２に出力する。符号化復号化部１０２はこの画像データを符号化してＭＰＥＧのストリームに変換し、一旦メモリ１０３に蓄積する。記録再生部１０７は所定のタイミングでメモリ１０３に蓄積されたストリームデータを読み出してディスクＤに記録する。このような動作を繰り返し、ディスクＤには次々と画像ストリームが書き込まれてゆく。
【００１６】
この様にユーザが撮影を完了した後、ディスクＤがＤＶＤプレーヤで再生可能な状態となるように、操作部１０５によりファイナライズ処理を指示する。
【００１７】
制御部１０６は、ファイナライズの指示があると、所定の管理情報やＤＶＤプレーヤ用の操作メニュー画像の生成など、必要なデータを用意する。そして、記録再生部１０７を制御して、これらのデータをディスクＤに書き込むと共に、ディスクＤ上の未記録領域に対し、無効データを書き込む。
【００１８】
制御部１０６は更に、ファイナライズ処理中、図２に示す画面を表示部１０４に表示し、ファイナライズ処理完了までの待ち時間に有効な情報を使用者に提供する。図２において、２０１は表示画面、２０２は画像表示領域、２０３はプログレスバー表示領域である。プログレスバーとは、ファイナライズ処理の全時間に対し、現在どの程度まで処理が進行しているかを随時通知する帯状のグラフである。
【００１９】
画像表示領域２０２には、ディスクＤに記録されている各映像ストリームに対応する静止画像が順次表示される。例えば、各シーンの先頭画面を表示したり、所定時間間隔ごとに画面を抜き出して表示したり、あるいは使用者が意図的に指定した画面を表示したりすることができる。
【００２０】
図４は、ディスクＤに記録されている映像ストリームと画像表示領域２０２に表示される画像の関係を例示する図である。図４において、各映像ストリーム１〜４はそれぞれ、撮影開始から終了までの間に記録された一連のシーンのデータである。ディスクＤに記録されている各シーンの映像ストリーム１、２、３、および４の先頭のＩピクチャ４０１、４０２、４０３、４０４を順次ディスクＤから再生、復号し、表示する。
【００２１】
以上の処理は、制御部１０６が各ブロックを制御して実行される。次に、図３のフローチャートを用いて、ファイナライズ処理の手順を説明する。図３は制御部１０６によるファイナライズ処理を示すフローチャートである。
【００２２】
操作部１０５からファイナライズの指示を受け取ると、制御部１０６はファイナライズ準備を行う（Ｓ３０１）。ここでは、ファイナライズ処理中にディスクＤに書き込む各種データを用意する。例えば、ディスクＤに記録されている画像ストリームの情報を検出し、所定の管理情報を生成したり、ファイルシステムのテーブルを生成したりする。また、無効データで埋め尽くすべき未記録エリアを検知する処理や、ＤＶＤプレーヤ用のメニュー画面として映像ストリームの一覧画像を作成したりする。
【００２３】
次に、ファイナライズ処理がすべて終了したか否かを判断し（Ｓ３０２）、終了するまでＳ３０３〜Ｓ３０４のステップを繰り返す。
【００２４】
ステップＳ３０３では、記録再生部１０７を制御して、ディスクＤに記録されている各シーンの画像ストリームからそれぞれデータの一部を再生する。例えば、各シーンの先頭画面のデータを読み出す。読み出された各先頭画面のデータは符号化復号化部１０２によって復号され、メモリ１０３に格納される。
【００２５】
そして、メモリ１０３に格納された各先頭画面の画像データを静止画像として表示部１０４の画像表示領域２０２に表示する。
【００２６】
なお、各シーンの先導画面のデータの読み出し、復号化、メモリへの格納の処理は、表示画像を更新する度に実行してもよいし、復号されたデータがメモリ１０３に格納できる分だけ、まとめて実行してもよい。
【００２７】
次に、ステップＳ３０４において、ステップＳ３０１で準備した各種データの書き込みを行う。また、未記録領域への無効データの書き込みもこのステップで行う。これらの書き込み処理は、ディスクＤ構成するセクタの集まり毎に行い、ステップＳ３０２で終了分岐するまで繰り返し実行される。
【００２８】
画像表示領域２０２の表示画面の更新間隔は等間隔でファイナライズ処理が完了するまで繰り返しても良いし、図３の例における各映像ストリームの記録間隔、Ｔ１、Ｔ１、Ｔ３、Ｔ４に比例した時間間隔で更新しても良い。
【００２９】
この記録間隔比で全ファイナライズ期間を分配して表示することで、ディスクＤに記録されている全ての画像データに対応する画面の表示完了とファイナライズ処理の完了を一致させることができる。
【００３０】
また、ユーザの操作によって随時表示を更新させたり、逆戻りさせたりできる構成も好適な操作感を実現する。
【００３１】
また、ディスクＤに記録されている映像ストリームの数が多い場合には、各シーンの映像ストリームから１画面づつ抽出するのではなく、所定数のシーン毎に１画面を抽出して表示することも可能である。
【００３２】
なお、図３では、ステップＳ３０３において画像表示のための静止画データを生成し、メモリ１０３に格納している。これ以外にも、ファイナライズ準備のステップＳ３０１においてあらかじめ全ての画像データを用意してメモリ１０３に格納しておいても良い。
【００３３】
一般的に、ファイナライズ準備においては、ＤＶＤプレーヤ用のメニュー画面として、図４の４０５のような映像ストリームの一覧画像を生成することが多い。そのための一覧画像生成と、本実施形態においてファイナライズ処理期間に表示するための画像生成を共通の処理として兼用することができる。
【００３４】
図５は、ディスクＤに記録されている映像ストリームと、画像表示領域２０２に表示される画像の関係を示す他の例である。図５では、ディスクＤの記録領域５００中の映像ストリーム１、２、３、および４に対応して、その符号列先頭から所定間隔で抜き出した１枚以上のＩピクチャ５０１〜５０９の復号画像が順次表示される。
【００３５】
このような構成の場合、ファイナライズ処理中の表示画面は、単なる符号列先頭の静止画像ではなく、コマ送りのような画像になる。そのため、ユーザは各映像ストリームの内容をより詳細まで知ることができ、より好適な操作感を得ることができる。使用者が撮影したシーンを振り返りながら楽しくファイナライズ処理を待つことができる。
【００３６】
（実施例２）
図６は本発明による記録装置の他の構成例を示すブロック図である。
【００３７】
図６の記録装置は、図１における撮像部１０１に代えて、チューナ６０１を備えている。そして、ユーザが操作部１０５を操作し、それに従って制御部１０６が各ブロックを制御することで動作する。
【００３８】
すなわち、録画スタート操作によって録画が開始されると、入力部６０１は設定されたチャンネルの放送信号を受信し、符号化復号化部１０２に送る。符号化復号化部１０２は受信した放送信号中の映像データをＭＰＥＧストリームに変換し、メモリ１０３に格納する。記録再生部１０７はメモリ１０３に記憶されたストリームを読み出し、ディスクＤに記録する。
【００３９】
図６におけるブロック１０２〜１０８については、図１を用いて説明した実施例１と同等の動作を行い、ファイナライズ処理中における復号画像の表示を、同様に実現する構成である。このような構成により、記録媒体のファイナライズ中に、記録されている番組のダイジェストを表示するので、使用者はダイジェスト映像を順次見ながら有意義に待ち時間を経過することができる。
【００４０】
なお、前述の実施形態においては、ＤＶＤ−Ｒなどの光ディスクに対して画像データを記録再生する装置について説明した。これ以外にも、例えば、ファイナライズ処理が必要な記録メディアに対して画像データを記録する装置に対しても本発明を同様に適用可能である。
【図面の簡単な説明】
【００４１】
【図１】本発明の実施形態における記録装置の構成を示す図である。
【図２】ファイナライズ中の表示画面の様子を示す図である。
【図３】ファイナライズ中の表示画面の抽出方法を示す図である。
【図４】ファイナライズ処理を示すフローチャートである。
【図５】ファイナライズ中の表示画面の抽出方法を示す図である。
【図６】本発明の実施形態における記録装置の他の構成を示す図である。
【図１】
0004464344.tif 000002
【図２】
0004464344.tif 000003
【図３】
0004464344.tif 000004
【図４】
0004464344.tif 000005
【図５】
0004464344.tif 000006
【図６】
0004464344.tif 000007